(57)【要約】【課題】不要なノイズを除いたタイミング生成装置の提供。【解決手段】画像センサを制御するためのタイミング生成装置１０は、出力に電流を継続的に供給する第１出力ドライバ２０と、第１出力ドライバ２０と並列に接続された第２出力ドライバ３０であって、選択的に電力供給されて追加の電流を出力に供給する第２出力ドライバ３０と、出力における結果波形に基づき、その電流を供給するかしないかのいずれかに調整される前記第２ドライバ３０に電気的に接続されたコントローラ４０であって、出力への合計電流を変化させて画像センサを制御するコントローラ４０とを含む。【選択図】図１
2004120742.tif 000002
【特許請求の範囲】
【請求項１】
　画像センサを制御するためのタイミング生成装置であって、
　（ａ）出力に電流を継続的に供給する第１出力ドライバと、
　（ｂ）前記第１出力ドライバと並列に接続された第２出力ドライバであって、選択的に電力供給されて追加の電流を前記出力に供給する第２出力ドライバと、
　（ｃ）前記出力における結果波形に基づき、電流を供給するか電流を供給しないかのいずれかに調整される前記第２ドライバに電気的に接続されたコントローラであって、前記出力への合計電流を変化させて画像センサを制御するコントローラと、
　を含むことを特徴とするタイミング生成装置。
【請求項２】
　画像センサを制御するためのタイミング生成装置であって、
　（ａ）選択的に電力供給されて出力に電流を供給する第１出力ドライバと、
　（ｂ）前記第１出力ドライバと並列に接続された第２出力ドライバであって、選択的に電力供給されて前記出力に追加の電流を供給する第２出力ドライバと、
　（ｃ）出力における結果波形に基づき、それぞれの電流を供給するかそれぞれの電流を供給しないかのいずれかに個々に調整可能な前記第１及び第２ドライバに電気的に接続されたコントローラであって、前記出力への合計電流を変化させ画像センサを制御するコントローラと、
　を含むことを特徴とするタイミング生成装置。
【請求項３】
　請求項１に記載のタイミング生成装置であって、
　前記第１及び第２ドライバが、前記出力に必要とされる特定の駆動強度と一致するよう調整されることを特徴とするタイミング生成装置。
【発明の詳細な説明】
【技術分野】
【０００１】
　本発明は、電子画像システム用のタイミング生成装置に関し、より詳しくは、このようなシステムにおいて電気的なノイズを制御するために出力する駆動強度が調整可能なタイミング生成装置に関する。
【背景技術】
【０００２】
　電子画像システムにおいて、電気的なノイズ、特に、画像センサを制御するタイミング生成回路におけるノイズが、画質を低下させることが知られている。残念なことに、このようなシステムでは、クロック速度が高くなるにしたがい、全体的なシステムノイズも高まる傾向にある。
【０００３】
　電気的なノイズに寄与する一要因として、電気信号に関連する、立ち上がり及び立ち下がり時間が挙げられる。従来の集積回路は、その出力を最も高い指定クロック速度で動作させるために十分な駆動能力を有するよう設計されている。もし装置が、これよりも低いクロック速度で動作する場合であっても、回路機能には必要無いにも関わらず、同じ立ち上がり及び立ち下がり時間が生成される。これは不要なノイズを作り出してしまうため、望ましくなく、また、立ち上がり及び立ち下がり時間を長くすることで回避できる。
【発明の開示】
【発明が解決しようとする課題】
【０００４】
　現在知られており、かつ、使われているシステムは満足のいくものではあるが、上述の欠点を有する。したがって、これらの欠点を無くしたタイミング生成装置が必要とされる。
【課題を解決するための手段】
【０００５】
　本発明は、上述の問題点の１つまたはそれ以上を克服することを目的とする。簡単に要約すると、本発明の１つの態様によれば、本発明は、画像センサを制御するためのタイミング生成装置であって、出力に電流を継続的に供給する第１の出力ドライバと、前記第１の出力ドライバと並列に接続された第２の出力ドライバであって、選択的に電力供給されて追加の電流を前記出力に供給する第２の出力ドライバと、前記出力における結果波形に基づき、その電流を供給するか供給しないかに調整される前記第２のドライバに電気的に接続されたコントローラであって、画像センサを制御する出力への合計電流を変化させるコントローラとを含むものである。
【０００６】
　本発明のこれら及び他の態様、目的、特徴、及び利点は、以下の好適な実施形態の詳細な説明及び添付の請求項を検討し、添付の図面を参照することにより、より明確に理解され、正しく認識できるであろう。
【発明の効果】
【０００７】
　本発明は、特定の適用法に必要とされる最低限の強度に駆動強度を調整することを可能にし、これによりノイズを低減し、最良の画質を提供するという利点を有する。
【発明を実施するための最良の形態】
【０００８】
　図１を参照し、本発明のタイミング生成装置１０を示す。タイミング生成装置１０は、画像センサシステム（図示せず）の様々な回路に電流を供給する。理解を明確にするために、この段落では、センサシステムの１つの出力のみを説明し、後述においては、複数の出力を説明する。１つの出力に関し、タイミング生成装置１０は、出力に、継続的な電流を供給する出力ドライバ２０を備える。第２のドライバ３０が第１のドライバ２０と並列に接続され、選択的に電力供給された追加の電流を出力に供給する。駆動コントローラ４０が、出力における結果波形に基づき、その電流を供給する又は電流を供給しないよう調整される第２ドライバ３０に電気的に接続され、画像センサを制御する出力への合計電流を変化させる。
【０００９】
　この代わりに、駆動コントローラ４０を、破線で示すように第１ドライバ２０に電気的に接続してもよい。出力における結果波形に基づき、ドライバ２０及び３０の両方が、それぞれの電流を供給する又は供給しないように個々に調整可能であり、これにより、画像センサを制御する出力への合計電流を変化させる。
【００１０】
　好適な実施形態及び代替実施形態の双方において、第１のドライバ２０及び第２のドライバ３０に加えて追加のドライバを並列に追加して、出力強度をより広い範囲及びより多くの階調を有して変化させることもできることに留意することが有益である。
【００１１】
　図面に図示するように、出力１から出力Ｎの各々の駆動強度は、並列のドライバをイネーブル又はディセーブルすることにより個々に制御できる。論理ブロック５０は、ドライバの論理状態を生成し、これにより、出力１から出力Ｎを決定する。各出力に対して、１つのドライバ（例えばドライバ２０及び６０）は常にイネーブルされ、最低量の駆動強度を提供する。駆動コントローラ４０は、各出力に割り当てられた並列のドライバ（例えば、ドライバ３０及び７０）をイネーブル又はディセーブルする。これらのドライバ３０及び７０がイネーブルされると、各出力の駆動強度が増大される。例えば、出力１に関しては、ドライバ３０がイネーブルされると、駆動強度は、ドライバ２０及び３０の和となる。各出力のための追加のドライバ（図示せず）を並列に追加することもできる。これにより、追加の駆動強度及び／又はより細かい駆動強度の解像度を可能にできる。また、各出力のドライバは、独自の駆動強度を有していてもよく、これにより、いくつかの出力に、大きな又は少ない駆動強度及び／又は解像度を提供してもよい。
【図面の簡単な説明】
【００１２】
【図１】本発明によるタイミング生成装置のブロック図である。
【符号の説明】
【００１３】
　１０　タイミング生成装置、２０　出力１用の第１ドライバ、３０　出力１用の第２ドライバ、４０　駆動コントローラ、５０　論理ブロック、６０　出力Ｎ用の第１ドライバ、７０　出力Ｎ用の第２ドライバ。
【図１】
2004120742.tif 000003